(57)【特許請求の範囲】
【請求項１】
上方に開口を有した本体と、前記本体の上面に、前記開口を覆うように設けた透光性を有するトッププレートと、被加熱物を加熱するための加熱部と、前記トッププレート下方に配した複数の発光体と、前記トッププレートを前記本体から取り外した状態で、前記本体側に固定され、前記発光体を配した発光基板と、前記発光基板に固定され、前記発光体間を仕切る下仕切部を有し、各前記発光体をそれぞれ囲い、前記発光体からの発光を上方に照射させるための下仕切枠と、を備え、上端が前記トッププレート裏面に当接するかまた
は近接するように、前記トッププレートを前記本体から取り外した状態で、前記トッププレート側に固定され、前記発光体間を仕切る上仕切部を有し、各前記発光体からの光を下方から入射させる貫通穴を設けた上仕切枠が、前記下仕切枠と嵌合するように構成した加熱調理器。
【請求項２】
前記トッププレート裏面に複数の印刷層を備え、前記印刷層の少なくとも１層を抜くことで発光表示の文字或いは図柄を形成している請求項１に記載の加熱調理器。
【請求項３】
前記下仕切枠の上端が前記上仕切枠の下方開口内に入り込み嵌合する構成とした請求項１に記載の加熱調理器。
【請求項４】
前記上仕切枠の下端が前記下仕切枠の上方開口内に入りこみ嵌合する構成とした請求項１に記載の加熱調理器。
【請求項５】
隣り合う前記発光体間に設ける前記下仕切部を複数有し、前記下仕切部の間に前記上仕切部が入りこみ、前記下仕切枠と前記上仕切枠とが嵌合する構成とした請求項３に記載の加熱調理器。
【請求項６】
隣り合う前記発光体間に設ける前記上仕切部を複数有し、前記上仕切部の間に前記下仕切部が入りこみ、前記下仕切枠と前記上仕切枠とが嵌合する構成とした請求項３に記載の加熱調理器。
【請求項７】
前記上仕切枠と前記下仕切枠の両方或いはどちらか一方に上方に向かって広がる傾斜を設け、前記上仕切枠下端と前記下仕切枠上端においていずれか一方の前記発光体を挟む隣り合う端部がもう一方の前記発光体を挟む隣り合う端部よりも狭くなっている請求項１に記載の加熱調理器。
【請求項８】
前記トッププレートの下方に設けられ、前記トッププレートを載置するフレームを備え、前記上仕切枠は、前記フレームに固定される構成とした請求項１に記載の加熱調理器。
【請求項９】
前記上仕切枠上端を前記フレームに当接させて前記トッププレートと一定距離をおく構成とした請求項８に記載の加熱調理器。
【請求項１０】
前記フレームは板金によって形成され、前記上仕切枠をフレームと一体成形し、前記下仕切枠と嵌合するように構成した請求項８に記載の加熱調理器。
【請求項１１】
前記上仕切枠内に透明性をもった材料で形成された導光体を設けた請求項１に記載の加熱調理器。
【発明の詳細な説明】
【技術分野】
【０００１】
本発明は、加熱調理器に関するものである。
【背景技術】
【０００２】
従来の加熱調理器は、使用時のみ操作スイッチおよび操作状況を発光表示させる静電式の操作スイッチを備えたものが知られている（例えば、特許文献１参照）。
【０００３】
図７は、特許文献１に記載された従来の加熱調理器を示すものである。本体１と、被加熱物を加熱する左加熱部２Ａ、右加熱部２Ｂ、後加熱部２Ｃを本体１内に配置し、操作スイッチ３と現在の操作状況表示４をトッププレート５の使用者に近い端部６に設け、トッププレート５の下方に、発光体と表示の最小区分を区切る仕切枠を備えて、光を照射させてトッププレートに発光表示させる構成としている。
【０００４】
上記構成にすることで、操作スイッチ３および現在の操作状況表示４が使用者に近い端部６にあるため、上体を曲げずにかつ覗き込む必要がないこと、使用時にのみ発光表示させて使用者に知らしめて視認性をもたせることから、操作しやすくしている。
【０００５】
また、近年、加熱調理器に用いられるトッププレートはすっきり、広々とした統一感のある外観が好まれることからトッププレートの色を単一色にして、すっきり大きくみせることができるデザインのトッププレートを有する加熱調理器が望まれている。
【０００６】
上記のような構成を有して、操作スイッチや操作状況を発光表示し、望まれたトッププレートにするには、外部からの可視光を透過しにくく、内部からの特定波長の発光のみ視認することができる黒色など濃い色の色彩では可能である。
【０００７】
つまりは、一見上は何もないように見えるが、使用時にのみ文字等を発光させて、知らしめることが可能である。反対に、白色系やメタリック調では、特定の光線のみを透過させることが困難である。
【０００８】
そのため、トッププレートに抜き文字状印刷を施しつつも、一見、上は何も表示されていないように見せる工夫がなされている（例えば、特許文献２および特許文献３参照）。
【０００９】
図８は、特許文献２に記載の従来の加熱調理器の断面図である。トッププレート５裏面に特定の波長の発光光線を他の可視光線よりも多く透過させる特性をもつ光透過薄膜９を成膜し、透過開口部１０を設け、前記透過開口部１０に半透明膜１１を成膜している。
【００１０】
上記構成にすることで、半透明膜１１が、トッププレート５全体を略同じ色調にみせ、光透過薄膜９がトッププレート５の上方から内部が透けて見えることを防ぐため、一見上では何もないように見せ、使用時のみ発光表示させている方法が知られている。
【００１１】
また、図９は、特許文献３に記載の加熱調理器のトッププレート断面図である。トッププレート５と、トッププレート５裏面には、パール調色を表現するパール調層１２と、パール調層１２の色表現を安定させるための被覆層１３と、発光表示を表現するための遮光部１４と、遮光部１４に覆われていない透過開口部１０と、透過開口部１０を覆う透明樹脂層１５が印刷形成されており、トッププレート５下方に発光体７を配置し、発光表示させる構成としている。
【００１２】
上記構成にすることによって、透明樹脂層１５が一見上は何もないように見せ、使用時のみ文字や図柄を発光表示させる構成にすることができる。
【先行技術文献】
【特許文献】
【００１３】
【特許文献１】特開２０１０−０９１１８９号公報
【特許文献２】特開２００８−０９１３４６号公報
【特許文献３】特開２０１０−１５３２２９号公報
【特許文献４】特開２００８−０３９１９５号公報
【発明の概要】
【発明が解決しようとする課題】
【００１４】
しかしながら、前記従来の構成では、トッププレートに直接抜き文字を施しており、それぞれの発光体を囲い仕切る仕切部をトッププレートに直接当接あるいは極近くに近接させなければ、隣の発光体からの光が漏れてしまい、発光表示させない無灯部表示にもぼんやりと光が漏れて見えてしまうという課題があった。
【００１５】
この際、前記仕切部をトッププレートに当接ないし近接させた場合、製品落下等時のトッププレートガラス割れを鑑みて、どこかに応力吸収箇所を設けなければならない。
【００１６】
本体側からばね性をもったもので、発光体および仕切部をトッププレートに付勢させて、ばね性部で応力を吸収させてもよいが、トッププレートを本体に組み込む際に、トッププレートに印刷された表示と仕切り枠とが本来の位置に合わずずれてしまう可能性が高い。
【００１７】
また、発光体および仕切部をトッププレート側に固定することで、上記のようなずれは改善されるが、サービスメンテナンス時にトッププレートと本体とを取り外した際に、発光体はトッププレート側に当合されているため、一目で加熱調理器全体をみることができず、二度手間であり、サービス性、修理性に劣るという課題を有していた。
【００１８】
本発明は、前記従来の課題を解決するもので、調理面を視覚的にすっきりかつ、大きく広くみせ、統一感のあるものにするために、単一色とくに発光表示が視認しにくい明調色を有するトッププレートに、発光表示させる表示部を備えているものに対し、デザイン性に富んだ、見やすく、使い易い、さらにサービスメンテナンス性の高い加熱調理器を提供することを目的とする。
【課題を解決するための手段】
【００１９】
前記従来の課題を解決するために、本発明の加熱調理器は、上方に開口を有した本体と、前記本体の上面に、開口を覆うように設けた透光性を有するトッププレートと、被加熱物を加熱するための加熱部と、前記トッププレート下方に配した複数の発光体と、前記トッププレートを前記本体から取り外した状態で、前記本体側に固定され、前記発光体を配した発光基板と、前記発光基板に固定され、前記発光体間を仕切る下仕切部を有し、各前記発光体をそれぞれ囲い、前記発光体からの発光を上方に照射させるための下仕切枠と、を備え、上端が前記トッププレート裏面に当接するかまたは近接するように、前記トッププレートを前記本体から取り外した状態で、前記トッププレート側に固定され、前記発光体間を仕切る上仕切部を有し、各前記発光体からの光を下方から入射させる貫通穴を設けた上仕切枠が、前記下仕切枠と嵌合するように構成している。
【００２０】
上記構成にすることにより、上仕切枠がトッププレートと当接または極近接しているため、トッププレートと上仕切枠との隙間から光が漏れて、発光表示している隣合わせの無灯表示部に発光が入射することを防止できる。また、トッププレートを組み込む際および
製品が落下した際に伝播する応力を上仕切枠と下仕切枠との嵌合部により吸収する箇所を設けることができる。さらに、サービスメンテナンス等の時にトッププレートと本体を取り外した際には、トッププレート側には、上仕切枠のみ付属することになり、他の加熱調理器に必要な部品等は本体側に固定されている構成にすることができる。
【発明の効果】
【００２１】
本発明の加熱調理器は、トッププレート側に表示を持つものに対して、上仕切枠がトッププレートと当接または極近接して、光が漏れて発光表示している隣合わせの無灯表示部に発光が入射することを防止するため、一見上は統一した色のトッププレートであっても、使用時のみ発光表示させて、使用者に知らしめて使い易い、デザイン性に富んだものにすることができる。また、上仕切枠と下仕切枠の嵌合部によって応力吸収箇所を設けることで、トッププレートを本体に組み込む際、もしくは、製品が落下した際など、トッププレートのガラスを割る心配がなく、トッププレート組み込み時にはトッププレート側の表示と発光体とがずれる心配もない。さらに、上仕切枠のみがトッププレートに固定されている構成のため、他は本体側に搭載されているためサービスメンテナンス等の時にトッププレートと本体を取り外した際には、一目で加熱調理器本体内部を確認することができ、メンテナンスの効率がよい構成とすることができる。
【図面の簡単な説明】
【００２２】
【図１】本発明の実施の形態１における加熱調理器の全体構成図
【図２】本発明の実施の形態１における加熱調理器の発光表示部断面図
【図３】本発明の実施の形態２における加熱調理器の発光表示部断面図
【図４】本発明の実施の形態３における加熱調理器の発光表示部断面図
【図５】本発明の実施の形態４における加熱調理器の発光表示部断面図
【図６】本発明の実施の形態５における加熱調理器の発光表示部断面図
【図７】特許文献１に記載された従来の加熱調理器の図
【図８】特許文献２に記載された従来の加熱調理器の図
【図９】特許文献３記載の加熱調理器のトッププレート断面図
【発明を実施するための形態】
【００２３】
第１の発明は、上方に開口を有した本体と、前記本体の上面に、前記開口を覆うように設けた透光性を有するトッププレートと、被加熱物を加熱するための加熱部と、前記トッププレート下方に配した複数の発光体と、前記トッププレートを前記本体から取り外した状態で、前記本体側に固定され、前記発光体を配した発光基板と、前記発光基板に固定され、前記発光体間を仕切る下仕切部を有し、各前記発光体をそれぞれ囲い、前記発光体からの発光を上方に照射させるための下仕切枠と、を備え、上端が前記トッププレート裏面に当接するかまたは近接するように、前記トッププレートを前記本体から取り外した状態で、前記トッププレート側に固定され、前記発光体間を仕切る上仕切部を有し、各前記発光体からの光を下方から入射させる貫通穴を設けた上仕切枠が、前記下仕切枠と嵌合するように構成したことにより、上仕切枠がトッププレートと当接または極近接しているため、トッププレートと上仕切枠との隙間から光が漏れて、発光表示している隣合わせの無灯表示部に発光が入射することを防止でき、一見上は統一した色のトッププレートであっても、使用時のみ発光表示させて、使用者に知らしめて使い易い、デザイン性に富んだもの
にすることができる。また、トッププレートを組み込む際および製品が落下した際に伝播する応力を上仕切枠と下仕切枠との嵌合部により吸収箇所を設けたことで、トッププレートのガラスを割る心配がなく、トッププレート組み込み時にはトッププレート側の表示と発光体とがずれる心配もない。さらに、サービスメンテナンス等の時にトッププレートと本体を取り外した際には、トッププレート側には、上仕切枠のみがトッププレートに固定されている構成のため、他の加熱調理器に必要な部品等は本体側に搭載されており、一目で加熱調理器本体内部を確認することができ、メンテナンスの効率がよい構成とすることができる。
【００２４】
第２の発明は、特に、第１の発明の前記トッププレート裏面に複数の印刷層を備え、前記印刷層の少なくとも１層を抜くことで発光表示の文字或いは図柄を形成したことにより、図柄を表示させるためのシートを追加する必要がなく、余計な部品を減らすことができる。また、トッププレートに直接、文字或いは図柄を表示させることで、トッププレートを介してシートなどに表現されている表示を確認するのではなく、トッププレート自体が発光しているため、視認しやすく使いやすいものにすることができる。
【００２５】
第３の発明は、特に、第１の発明の前記下仕切枠の上端が前記上仕切枠の下方開口内に入り込み嵌合する構成としたことにより、トッププレートを組み込む際および製品が落下した際に伝播する応力は、下仕切枠上端が上仕切枠の下方開口に入りこみ吸収されるため、上記のような応力によるトッププレートの割れおよび発光基板の割れなどを防ぐことができる。
【００２６】
第４の発明は、特に、第１の発明の前記上仕切枠の下端が前記下仕切枠の上方開口内に入りこみ嵌合する構成としたことにより、トッププレートを組み込む際および製品が落下した際に伝播する応力は、上仕切枠下端が下仕切枠の上方開口に入りこみ吸収されるため、上記のような応力によるトッププレートの割れおよび発光基板の割れなどを防ぐことができる。
【００２７】
第５の発明は、特に、第３の発明において、隣り合う前記発光体間に設ける前記下仕切部を複数有し、前記下仕切部の間に前記上仕切部が入りこみ、前記下仕切枠と前記上仕切枠とが嵌合する構成としたことにより、下方から照射される発光体からの光を、隣の無灯表示部に侵入されることなく、上方へと発光を導くことができる。また、下仕切部の間に上仕切部が入り込むことで、トッププレートを本体に組み込む際、組み込みを導き、トッププレートの組み込みずれや表示のずれを防止する役割を持たせることもできる。
【００２８】
第６の発明は、特に、第３の発明において、隣り合う前記発光体間に設ける前記上仕切部を複数有し、前記上仕切部の間に前記下仕切部が入りこみ、前記下仕切枠と前記上仕切枠とが嵌合する構成としたことにより、上仕切部と下仕切部のわずかな勘合部の隙間から、下方から照射される発光体からの光が漏れてしまっても、隣の表示を仕切る上仕切部がもう１つあることによって、隣が無灯表示部であっても、前記もう１つの上仕切部が、隣の発光の侵入を防止するため、光漏れを防いで任意の箇所のみ発光表示させることが可能である。また、第５の発明と同様に、上仕切部の間に下仕切部が入り込むことで、トッププレートを本体に組み込む際、組み込みを導き、トッププレートの組み込みずれや表示のずれを防止する役割を持たせることもできる。
【００２９】
第７の発明は、特に、第１の発明の前記上仕切枠と前記下仕切枠の両方或いはどちらか一方に上方に向かって広がる傾斜を設け、前記上仕切枠下端と前記下仕切枠上端においていずれか一方の前記発光体を挟む隣り合う端部がもう一方の前記発光体を挟む隣り合う端部よりも狭くなっていることにより、上仕切枠と下仕切枠との嵌合を円滑にさせることができるため、トッププレートを本体に組み込みやすくすることができ、組み込みを導くことができる。また、上仕切枠および下仕切枠を光反射しやすい材質、色で形成させた場合、下方より照射された発光体からの光に指向性を持たせることができ、１つの発光体で広がりを持った表示を発光させることを可能にすることができる。
【００３０】
第８の発明は、特に、第１の発明において、前記トッププレートの下方に設けられ、前記トッププレートを載置するフレームを備え、前記上仕切枠は、前記フレームに固定される構成としたことにより、トッププレートに接着することや、トッププレートに穴を開けて上仕切枠をビスなどで固定などすることなく、フレームを加工し当合されるため、確実
に固定することができ、また、ビスなどでフレームと当合させる場合には、メンテナンス時に取り外す時も接着していないため、容易に取り外すことができる。
【００３１】
第９の発明は、特に、第８の発明の前記上仕切枠上端を前記フレームに当接させて前記トッププレートと一定距離をおく構成としたことにより、トッププレートと極近接させたい場合に、フレームの厚みによって、トッププレートと上仕切枠上端との距離を一定に規制させることができ、また、フレームによって挟み込む構成になるため、上仕切枠がたわみ、トッププレートとの距離を一定に保てなくなることを防止することができる。
【００３２】
第１０の発明は、特に、第８の発明の前記フレームは板金によって形成され、前記上仕切枠をフレームと一体成形し、前記下仕切枠と嵌合するように構成したことによって、上仕切枠はフレームと一体成形されているため、部品数を減らすことができる。
【００３３】
第１１の発明は、特に、第１の発明において、前記上仕切枠内に透明性をもった材料で形成された導光体を設けたことによって、下方からの発光体の光を上方へと確実に導くことができ、発光体からの光をより明るくすることが可能である。また、導光体のトッププレート側に印刷を施すことで文字や図柄を表示させたり、光を拡散させたりすることも可能になる。
【００３４】
以下、本発明の実施の形態について図面を参照しながら説明する。なお、この実施の形態によって本発明が限定されるものではない。
【００３５】
（実施の形態１）
図１は本発明の第１の実施の形態における加熱調理器の全体構成図である。
【００３６】
本体１は金属を箱状に折り曲げ、上方に開口をもっており、本体１の上方開口を覆うように配される複数の印刷層をもつトッププレート５と、トッププレート５を本体１に設置するためにトッププレート５を支え、かつ接続するための金属製のフレーム２１で構成されている。
【００３７】
本体１の内部には、被加熱物を加熱するための左加熱部２Ａおよび右加熱部２Ｂ、後加熱部２Ｃがそれぞれ組み込まれている。図２は本発明の第１の実施の形態における加熱調理器の発光表示部断面図である。
【００３８】
図２において、トッププレート５下方に配された、本体１側に固定される操作スイッチ３（図１）および操作状況表示４（図１）をトッププレート５に発光表示させるための発光体７を複数配した発光基板２２（図２）が設けられている。
【００３９】
発光基板２２には、発光体７からの発光を仕切るための下仕切部２３を有した下仕切枠２４が固定されている。
【００４０】
一方で、トッププレート５には、上記のようにトッププレート５を支えるフレーム２１と、トッププレート裏面に印刷された印刷層の少なくとも１層を抜くことで発光表示の文字或いは図柄を形成している遮光部１４を備えており、トッププレート５裏面に当接するかまたは近接するように、発光体７からの光を仕切る上仕切部２５を有し、各発光体からの光を下方から入射させる貫通穴２７を設けた上仕切枠２６がフレーム２１に固定されている。
【００４１】
この時、固定は、フレームに穴を開けて、ビスなどによって当合してもよい。上仕切枠２６はトッププレート５に印刷された遮光部１４の下にあり、上仕切枠２６に設けられた貫通穴２７は遮光部１４で形成される文字或いは図柄Ａ、ＢおよびＣを覆わないよう形成され、固定されている。
【００４２】
下仕切枠２４に設けられた下仕切部２３と、上仕切枠２６に設けられた上仕切部２５と嵌合するように構成されている。
【００４３】
上記構成にすることにより、上仕切枠２６はトッププレート５と当接または極近接しているため、トッププレート５と上仕切枠２６との隙間から光が漏れることがない。
【００４４】
例えば、表示Ａが発光表示していて、隣合わせの表示Ｂが無灯表示の場合、Ａを発光表示させるための発光体７から照射された光が表示ＡとＢの間にある上仕切部２５を乗り越えて、表示Ｂに発光が漏れることを防ぐことができる。
【００４５】
また、トッププレート５に遮光部１４によって文字或いは図柄を表示させることで、トッププレート５を介してシートなどに表現されている表示を確認するのではなく、トッププレート自体が発光しているため、視認しやすく使いやすいものにすることができる。
【００４６】
よって、一見上は何も表示していないように見せたトッププレート５であっても、使用時のみ必要箇所を発光表示させて、使用者に知らしめて使い易く見やすい、デザイン性に富んだものにすることができる。
【００４７】
また、トッププレート５は上方より本体１へと押し付けて、接続し、組み込まれる構成である。例えば、上仕切枠２６がなく、下仕切枠２４をトッププレート５に当接させて光漏れを防止している場合などでは、トッププレート５組み込み時、上方から下方へ押し付けられるため、下仕切部２３とトッププレート５との間に応力がかかり、トッププレート５が割れたり、下仕切枠２４が破損してしまう恐れがある。
【００４８】
製品落下時も上記同様の恐れがある。下仕切枠２４をばね性のもので下方からトッププレート５へと付勢して、ばね性部で応力吸収箇所を設けることで、トッププレート５の割れおよび下仕切枠２４の破損は回避できるが、トッププレート５を本体１に組込む際に、トッププレート５側の表示を形成している遮光部１４の下に、下仕切部２３を確実に配置させることは困難であり、発光表示がずれてしまう可能性が高い。
【００４９】
一方で、上記構成にすることにより、トッププレート５を本体１に接続組み込みした際、および製品落下時に伝播する応力を、上仕切枠２６と下仕切枠２４との嵌合部により吸収し、吸収箇所を設けたことで、トッププレート５や下仕切枠２４を破損する心配がなく、トッププレート５組み込み時には、上仕切枠２６が既にトッププレート側の表示を取り囲み発光を仕切っているため、表示がずれる心配もない。
【００５０】
さらに、発光基板２２をトッププレート５側に構成すると、トッププレート５を取り外し、さらに、トッププレート５側に付属する発光基板２２などを解体し取り外さなければならず、面倒であり、一目で全体を確認することができないが、上記構成にすることによって、サービスメンテナンス等の時にトッププレート５を本体１から取り外した際には、トッププレート５側には、上仕切枠２６とフレーム２１のみがトッププレート５側に付属しており、その他の加熱調理器に必要な部品、例えば左加熱部２Ａ、右加熱部２Ｂ、後加熱部２Ｃや操作スイッチ３および操作状況表示４などを発光表示させる発光体７や発光基板２２は本体１側に搭載されており、一目で加熱調理器本体内部の全体を確認することができる。よってサービスメンテナンスの効率がよい構成とすることができる。
【００５１】
さらに、下仕切枠２４は、その下仕切部２３を上方に向かって広がるような傾斜を設け、上仕切枠２６と下仕切枠２４とを嵌合させることで、組み込みを円滑に導くことができるため、トッププレートを本体に組み込みやすくすることができる。
【００５２】
また、上仕切枠２６および下仕切枠２４を光反射しやすい材質、色で形成させた場合、下方より照射された発光体７からの光に指向性を持たせることができ、１つの発光体で広がりを持った表示を発光させることを可能にしたものにすることができる。
【００５３】
（実施の形態２）
図３は、本発明の第２の実施の形態における加熱調理器の発光表示部断面図を示すものである。
【００５４】
本実施の形態では、上仕切枠２６に、隣合う発光体７間に設けられた上仕切部２５を複数設けており、上仕切部２５下端が、下仕切枠２４に設けられた下仕切部２３が形成する上方開口内に入りこみ嵌合する点において異なっている。その他は実施の形態１と同様であるため、説明を省略する
上記構成にしたことにより、実施の形態１と同様に、トッププレート５を本体１に接続組み込みした際、および製品落下時に伝播する応力を、上仕切枠２６の上仕切部２５下端が下仕切部２３で形成される下仕切枠２４の上方開口内に入りこみ嵌合する構成としたことにより、吸収することができる。よって、トッププレート５や上仕切枠２６および下仕切枠２４を破損する心配がない。
【００５５】
また、隣合う発光体７間に設ける上仕切部２５を複数有したことにより、例えば表示Ａと表示Ｂを仕切る上仕切部２５と下仕切部２３のわずかな勘合部の隙間から、下方から照射される発光体７からの光が漏れてしまっても、もう１つの上仕切部２５が隣の無灯表示部Ｂに光が侵入を防止するため、光漏れを防いで任意の箇所のみ発光表示させることが可能である。
【００５６】
このとき、上仕切枠２６は、トッププレート５に印刷された遮光部１４を覆わないように配されている。
【００５７】
（実施の形態３）
図４は、本発明の第３の実施の形態における加熱調理器の発光表示部断面図を示すものである。
【００５８】
本実施の形態では、トッププレートと極近接させたい場合に、上仕切枠上端２９をフレーム２１に当接させ、トッププレート５と一定距離２８をおく構成とした点において異なっている。その他は実施の形態１と同様であるため、説明を省略する。
【００５９】
上記構成にしたことにより、トッププレート５と当接させない場合に、トッププレート５と上仕切枠２６上端との距離を一定距離２８に規制させることができる。この時、一定距離２８は、隣の表示部からの光漏れがない距離である。
【００６０】
また、上仕切枠下端３０のみをフレーム２１によって固定している場合よりも、上仕切枠２６のたわみなどによって、トッププレート５との一定距離２８を保てなくなることを防止することができる。
【００６１】
（実施の形態４）
図５は、本発明の第４の実施の形態における発光表示部断面図である。
【００６２】
本実施の形態では、フレーム２１を板金によって形成し、フレーム２１に貫通穴２７と、バーリングもしくは折り曲げなどによって切起こし３１を設けて、フレーム２１自体を上仕切枠とし、下仕切枠２４と嵌合するように構成した点において異なっている。
【００６３】
この時、フレーム２１に形成された貫通穴２７は遮光部１４が形成する表示を覆わないように配されている。その他は実施の形態２と同様であるため、説明を省略する。
【００６４】
上記構成にすることによって、切起こし３１が上仕切部２５の役割を果たし、また、フレーム２１自体が上仕切枠２６と一体となっているため、部品数を減らすことができる。
【００６５】
この時、切起こし３１は、下仕切枠２４の上方開口に入りこんで嵌合してもよいし、切起こし３１で形成されるフレーム２１の貫通穴２７に、下仕切部２３が入りこんで嵌合してもよい。
【００６６】
（実施の形態５）
図６は、本発明の第５の実施の形態における発光表示部断面図である。
【００６７】
本実施の形態では、実施の形態１の上仕切枠２６内部に透明性かつ光透過性をもった材料で形成された導光体３２を設けた点において異なっている。その他は実施の形態１と同様であるため、説明を省略する。
【００６８】
上記構成にしたことよって、下方からの発光体７の光を上方へと確実に導くことができ、発光体７からの光をより明るくすることが可能である。
【００６９】
また、導光体３２のトッププレート５側に印刷を施すことで文字や図柄を表示させたり、光を拡散させたりすることも可能になる。この時、導光体３２はトッププレート５裏面と当接していてもよいし、所定の距離をおいてもよい。
【産業上の利用可能性】
【００７０】
以上のように、本発明にかかる加熱調理器は、操作状況表示の発光表示部をメンテナンス性が良く、使用時のみ発光表示させて、使用者に知らしめる使い易い、デザイン性に富んだものにすることが可能となり、特に、光漏れを防ぐために部品間を当接もしくは極近接させなければならないものに関し、発光表示を備えたもの全般の用途に適用することができる。
【符号の説明】
【００７１】
１  本体
２Ａ  左加熱部
２Ｂ  右加熱部
２Ｃ  後加熱部
５  トッププレート
７  発光体
９  光透過薄膜
２１  フレーム
２２  発光基板
２３  下仕切部
２４  下仕切枠
２５  上仕切部
２６  上仕切枠
２７  貫通穴
【図１】
0005753973.tif 000002
【図２】
0005753973.tif 000003
【図３】
0005753973.tif 000004
【図４】
0005753973.tif 000005
【図５】
0005753973.tif 000006
【図６】
0005753973.tif 000007
【図７】
0005753973.tif 000008
【図８】
0005753973.tif 000009
【図９】
0005753973.tif 000010